(57)【特許請求の範囲】
【請求項１】
地中に埋設される外筒と、外筒内に昇降自在に収納される柱体とを備え、コイル状の定荷重バネが、その回転軸を横向きにして柱体の下部に取り付けられ、この定荷重バネの先端が外筒の上部に連結されて、定荷重バネの巻上力により柱体が上昇方向に付勢されるように構成された出没式柵柱において、
外筒の外側に縦方向に延びる操作ロッドが配置され、この操作ロッドの下端部近傍及び上端部近傍を含む適宜箇所に柱体の昇降を拘束するための係合突起が設けられて、この係合突起が外筒の周面に形成された窓状開口を通じて外筒内に突出するように配置される一方、
柱体の下部には、所定の昇降位置で上記係合突起に係合するストップカムが設けられて、上記操作ロッドを外筒の上方から軸回りに回動させることにより、上記係合突起と上記ストップカムとの係合が解除されて柱体が昇降可能になることを特徴とする出没式柵柱。
【請求項２】
ストップカムは、上下に対向して配置された第一係合爪及び第二係合爪を備え、上側の第一係合爪は、柱体が上昇する際には係合突起に当接して内側に没入し、柱体が下降する際には外側に突出して係合突起に係合するように付勢される一方、第二係合爪は、柱体が下降する際には係合突起に当接して内側に没入し、柱体が上昇する際には外側に突出して係合突起に係合するように付勢されたことを特徴とする請求項１に記載の出没式柵柱。
【請求項３】
操作ロッドは、その軸回りに挿装されたバネ部材の弾性力によって、係合突起を外筒の窓状開口に臨ませる位置へ復帰するように付勢されていることを特徴とする請求項１又は２に記載の出没式柵柱。
【請求項４】
操作ロッドの上端部には、バネ部材を内装した操作ピン連結パイプを介して操作ピンが連結され、この操作ピンは操作ロッドに対し上方から押込み可能に設けられるとともに、上記操作ピンを押込んだときにのみ操作ロッドの回動を許容するロック手段が設けられたことを特徴とする請求項１乃至３に記載の出没式柵柱。
【発明の詳細な説明】
【技術分野】
【０００１】
本発明は、地中に埋設された外筒内に収納され、必要に応じ地上へ引き上げて立設させることにより車両や人の通行を規制するように構成された出没式柵柱に関する。
【背景技術】
【０００２】
この種の出没式柵柱に関しては、柱体の昇降操作を容易にするために、定荷重バネを利用して柱体に上昇方向の付勢力を与える技術が提案されている（例えば、特許文献１〜３等）。これらの技術によれば、重量の大きい柱体でも軽い力で引き上げたり、あるいは自動的に上昇させたりすることができるのに加え、収納時に柱体が急激に落下するのを防ぐことができる。
【０００３】
さらに、特許文献２、３には、柱体を外筒内に収納した状態でロックする手段として、外筒または柱体のいずれか一方にラッチを設け、いずれか他方にラッチに係合しうる係合凹部を設ける構成が記載されている。
【特許文献１】実公平７−２０１６７号公報
【特許文献２】実開平６−１２５１７号公報
【特許文献３】実開平６−１２５１８号公報
【発明の開示】
【発明が解決しようとする課題】
【０００４】
上記文献記載の技術によれば、定荷重バネの釣合い定力を柱体の重量よりも大きく設定することにより柱体を自動的に上昇させることができるので、柱体の重量が大きくても、その引き上げ操作は楽になる。しかし、柱体が地中に収納されてロックされている状態からそのロックを解除したり、上昇していた柱体を地中へ押下げてロックしたりする操作は、作業者がかがみこんで行う必要がある。
【０００５】
この種の出没式柵柱は、１本だけ単独で使用されることは少なく、例えば公共施設やショッピングセンター等の駐車場で多数本が同時に使用されることが多い。さらに、上記のような施設で出没式柵柱の管理や操作を行う作業者の多くが高齢者である実情に鑑みると、多数本の柱体を上げたり下げたりするに際して作業者がいちいちかがまなければならないのは、作業者にとって大きな肉体的負担となる。
【０００６】
特許文献２、３には、ラッチを引き込むための操作部を外筒または柱体の上端面に設けることが記載されているが、その詳細な構造や操作方法は不明である。したがって、ロック操作やロック解除操作における作業者の負担を軽減するという要請には応えられていない。
【０００７】
本発明はかかる問題を解決するためになされたもので、柱体の上げ下げ及びロック操作に際して、作業者が一切かがまずに、立ったままの楽な姿勢で容易に操作することができる出没式柵柱を提供し、もって作業者の負担を軽減することを解決課題とする。
【課題を解決するための手段】
【０００８】
上記した目的を達成するため、本発明の出没式柵柱は、地中に埋設される外筒と、外筒内に昇降自在に収納される柱体とを備え、コイル状の定荷重バネが、その回転軸を横向きにして柱体の下部に取り付けられ、この定荷重バネの先端が外筒の上部に連結されて、定荷重バネの巻上力により柱体が上昇方向に付勢されるように構成された出没式柵柱において、外筒の外側に縦方向に延びる操作ロッドが配置され、この操作ロッドの下端部近傍及び上端部近傍を含む適宜箇所に柱体の昇降を拘束するための係合突起が設けられて、この係合突起が外筒の周面に形成された窓状開口を通じて外筒内に突出するように配置される一方、柱体の下部には、所定の昇降位置で上記係合突起に係合するストップカムが設けられて、上記操作ロッドを外筒の上方から軸回りに回動させることにより、上記係合突起と上記ストップカムとの係合が解除されて柱体が昇降可能になることを特徴とする。
【０００９】
この構成を採用した出没式柵柱では、操作ロッドに設けられた係合突起と柱体の下部に設けられたストップカムとの係合によって柱体の昇降が拘束される。そして、上方から適宜の棒状操作具等で操作ロッドを回動させると、収納状態にある柱体は拘束が解除されて、定荷重バネの巻上力で自動的に上昇し、また、上昇状態にある柱体は、手や足によって押し下げることにより収納可能になる。柱体が所望の位置まで昇降したところで操作ロッドを元の位置に戻すと、再び係合突起とストップカムとが係合して、柱体の昇降が拘束される。
【００１０】
上記ストップカムの構成としては、上下に対向して配置された第一係合爪及び第二係合爪を備え、上側の第一係合爪は、柱体が上昇する際には係合突起に当接して内側に没入し、柱体が下降する際には外側に突出して係合突起に係合するように付勢される一方、第二係合爪は、柱体が下降する際には係合突起に当接して内側に没入し、柱体が上昇する際には外側に突出して係合突起に係合するように付勢されたものとすることができる。
【００１１】
この構成によれば、操作ロッドを回動させて、係合突起とストップカムとの係合状態を解除すれば、柱体が所望の位置まで上昇または下降する前に操作ロッドを元の位置に戻しても、その位置で自動的にストップカムが係合突起に係合して、柱体が停止する。したがって、柱体の昇降タイミングに合わせて操作ロッドを回動させなくとも済み、操作ロッドの回動操作が簡単になる。
【００１２】
操作ロッドを、その軸回りに挿装されたバネ部材の弾性力によって、係合突起を外筒の窓状開口に臨ませる位置へ復帰するように付勢すれば、上記回動操作は一層、容易になり、使い勝手が向上する。
【００１３】
また、操作ロッドの上端部には、バネ部材を内装した操作ピン連結パイプを介して操作ピンが連結され、この操作ピンは操作ロッドに対し上方から押込み可能に設けられるとともに、上記操作ピンを押込んだときにのみ操作ロッドの回動を許容するロック手段が設けられたものとすれば、いらずらや不意の衝撃等によって柱体が不用意に昇降してしまうのを防止することができる。
【発明の効果】
【００１４】
上述のように構成される本発明の出没式柵柱によれば、外筒の上方から適宜の棒状操作具を用いて操作ロッドを回動させることにより、柱体を昇降させ、所望の位置で拘束することができるので、柱体の昇降操作に際して作業者が、いちいち、かがみこんだり、しゃがんだりしなくても済む。したがって、高齢の作業者が多数本の柵柱を続けて昇降させなければならないような使用現場においても、作業者の肉体的負担が大幅に軽減されるとともに、柵柱の管理作業を迅速化することができる。
【発明を実施するための最良の形態】
【００１５】
以下、本発明の実施形態に係る出没式柵柱の構成について、図面を参照しつつ説明する。図１は、出没式柵柱１の全体的構成を示す概略図であって、外筒２の略上半部を縦断面として表し、外筒２内に収納される柱体３を正面図として表している。
【００１６】
地中に埋設される外筒２は、中空の円筒形状をなし、下端部が外筒底板４により閉塞されている。外筒２の上端部には、外方に張り出す蓋状の上部構造が設けられて、その内側に柱体３が挿通されている。
【００１７】
柱体３は、外筒２よりもふた回りほど細い中空の円筒形状をなし、その長さは外筒２とほぼ同じである。例示の柱体３の上部近傍には発光部５が設けられている。柱体３は、その底部が、柱体３の外径よりもやや大径の柱体支持装置６に支承された状態で保持される。
【００１８】
柱体支持装置６には、コイル状に巻回された定荷重バネ７が、その回転軸を横向きにして取り付けられている。定荷重バネ７の先端は柱体３と外筒２との間を上方に延び、外筒２の上部に連結されて、柱体支持装置６を上昇方向に引き上げる。定荷重バネ７の釣合い定力は、柱体３と柱体支持装置６との合算重量よりもやや大きくなるように設定されている。このため、柱体３を拘束する外力が作用しない状態では、定荷重バネ７の巻上力によって柱体支持装置６が上昇方向に付勢され、これにより柱体３が上昇する。
【００１９】
外筒２の外側には、縦方向に延びる操作ロッド８が軸回りに回動しうる状態で取り付けられている。この操作ロッド８の下端部近傍、上端部近傍及び中間部の適所には、柱体３の昇降を拘束するための係合突起９が設けられている。各係合突起９は、外筒２の周面に形成された窓状開口１０を通じて外筒２の内方に突出している。
【００２０】
一方、柱体支持装置６には、それらの係合突起９に向かい合って係合するストップカム１１が設けられている。そして、操作ロッド８を外筒２の上方から軸回りに回動させると、係合突起９とストップカム１１との係合が解除されて柱体３が昇降可能になり、係合突起９とストップカム１１とが係合することによって柱体３の昇降が拘束される。
【００２１】
図２及び図３は外筒２の上部構造を示す。外筒２の上端部には、短筒部１２と鍔部１３とを有するフランジ１４が取り付けられている。短筒部１２は外筒２の外側に嵌装されて固着され、鍔部１３が外筒２の外方に張り出している。鍔部１３には、操作ロッド８の回動操作を行うための開口１５と、雌ネジをタッピングしたバネ固定孔１６とが形成されている。バネ固定孔１６には、定荷重バネ７の先端に取り付けられた断面略Ｌ字形の固定具１７が、鍔部１３の上方からビス固定される。
【００２２】
フランジ１４の鍔部１３の上側には調整板１８が重ねられる。調整板１８は、フランジ１４の鍔部１３と略同径の円環状をなす平らな板材である。調整板１８には操作ロッド８を操作するための鍵状孔１９と、定荷重バネ７の固定具１７を収めるための切欠２０が形成されている。
【００２３】
調整板１８の上側には合成樹脂製のブッシュ２１が重ねられる。ブッシュ２１は、筒部２２と鍔状部２３とを有している。筒部２２は、その外径が外筒２の内径よりも僅かに小さく、その内径が柱体３の外径よりも僅かに大きく形成されている。鍔状部２３の外径は調整板１８の外径よりも僅かに小さく形成されている。そして、筒部２２が外筒２内に挿入され、鍔状部２３が調整板１８の上に重ねられる。ここで、筒部２２と定荷重バネ７の固定具１７とが干渉するのを避けるため、図３に示すように、筒部２２の外側の一部が薄肉状に削ぎ取られている。
【００２４】
ブッシュ２１の鍔状部２３には、円形の操作ピン保持孔２４が形成されて、この操作ピン保持孔２４内に操作ピン２５が収容される。操作ピン２５は、大径の頭部２６と細径の軸部２７とを有する断面略Ｔ字形の部材である。頭部２６には、適宜の操作具２８を係合させるためのすり割２９が形成されている。軸部２７には、側方に張り出す係止片３０が、頭部２６から離隔して形成されている。この軸部２７が調整板１８の鍵状孔１９に挿入され、鍵状孔１９に形成されたロック溝３１に軸部２７の係止片３０が係合することにより、操作ピン２５の回動がロックされる。
【００２５】
ブッシュ２１の上側には蓋カバー３２が重ねられる。蓋カバー３２は側縁部３３が垂下した逆皿状の部材で、側縁部３３がブッシュ２１の外周を包囲するように装着される。蓋カバー３２の天面部には円形の操作孔３４が形成され、その下側には、短円管状の操作ピンガイドリング３５が取り付けられる。この操作ピンガイドリング３５は、ブッシュ２１の操作ピン保持孔２４内に挿し込まれ、その内側に操作ピン２５の頭部２６を回動可能に保持する。操作孔３４の径は操作ピン２５の頭部２６の径よりも僅かに小さく形成されており、これによって操作ピン２５の上方への抜け出しが拘束される。
【００２６】
調整板１８と、ブッシュ２１の鍔状部２３と、蓋カバー３２の天面部とには、それらを重ねたときに合致する複数個のビス孔３６、３７、３８が形成されている。そして、これらのビス孔３６、３７、３８に挿入された連結ビス３９が、フランジ１４の鍔部１３をタッピングして形成された複数個の連結用雌ネジ孔４０に螺合されて、調整板１８、ブッシュ２１、及び蓋カバー３２がフランジ１４と連結される。
【００２７】
このような上部構造によって調整板１８と蓋カバー３２との間に保持された操作ピン２５は、操作ピン連結パイプ４１を介して操作ロッド８と連結される。操作ピン連結パイプ４１は中空の筒状部材で、その下端が操作ロッド８の上端を削径して形成された連結突起４２に挿装される。操作ピン連結パイプ４１と操作ロッド８とは、上記挿装箇所を溶接、あるいは側方から固定ピン４３を打ち込むなどして、互いに回動しないように結合される。操作ピン連結パイプ４１の上端には縦長の係止溝４４が形成され、操作ピン２５の軸部２７は、その係止片３０を上記係止溝４４に係合させた状態で、操作ピン連結パイプ４１に挿入される。
【００２８】
操作ピン連結パイプ４１には圧縮コイルバネ４５が内装され、この圧縮コイルバネ４５が、操作ピン２５を常時、上方に押し上げるように付勢する。操作ピン２５が押し上げられた状態では、軸部２７の側方に張り出した係止片３０が、調整板１８の鍵状孔１９に形成されたロック溝３１に係合して、操作ピン２５の回動がロックされる。しかし、上方から操作ピン２５を押し下げると、係止片３０が調整板１８の下側まで抜け出し、係止片３０とロック溝３１との係合が解除されて操作ピン２５が回動可能になる。このようなロック手段により、上方から操作ピン２５を押し込んだときにのみ、操作ロッド８を回動させることができる。
【００２９】
なお、ロック溝３１の下側には、操作ピン２５を一方向にのみ回動可能とするストッパー片（図示せず）が突設されている。このため、操作ピン２５を押し込んだ状態でも、係止片３０が上記ストッパー片に当接して、操作ピン２５が逆方向に回動しないようになっている。
【００３０】
また、操作ロッド８には、ねじりコイルバネ４６が挿装されている。ねじりコイルバネ４６の一端は、操作ロッド８に突設された係合突起９に掛止され、他端は横方向に延長されて、外筒２の外周面に掛止している。このねじりコイルバネ４６は、操作ロッド８が軸回りに回動したときに、これを元の位置に戻す付勢力を与える。
【００３１】
操作ロッド８の側方には、横断面略コ字形の操作ロッドカバー４７が取り付けられる。操作ロッドカバー４７は、その両側縁部を外筒２の外周面に溶接するなどして固定される。
【００３２】
図４〜図７は柱体３の下部構造を示す。
【００３３】
柱体３を支承する柱体支持装置６は、上面視略Ｈ形の壁部材と、その上面及び下面にそれぞれ結合された上底板５１及び下底板５２とによって外形が構成されている。壁部材は、左右一対の側壁部５３、５３と、両側壁部５３、５３を連結する中壁部５４とを具備する。両側壁部５３、５３の間に定荷重バネ７が配置され、その回転軸部材５５が両側壁部５３、５３に形成された軸受け孔に挿通されている。回転軸部材５５の両端には、抜け止めのためのスナップピン５６が取り付けられている。
【００３４】
上底板５１及び下底板５２は略円形の板材で、その外径は外筒２の内径よりも僅かに小さく形成されている。上底板５１及び下底板５２の縁部には、操作ロッド８の係合突起９との干渉を避けるための切欠部５７と、水抜きのための切欠部５８とがそれぞれ形成されている。さらに、上底板５１の縁部には、定荷重バネ７との干渉を避けるための切欠部５９も形成されている。
【００３５】
また、上底板５１の上面には、複数本の柱体支持ピン６１が立設されている。柱体支持ピン６１は柱体３の内径に合致するように配置され、これらの柱体支持ピン６１に柱体３の下端開口を嵌装するようにして、柱体３が着脱自在に取り付けられる。
【００３６】
ストップカム１１は、操作ロッド８と向き合うように、中壁部５４を挟んで定荷重バネ７の反対側に設けられている。ストップカム１１は、上下一対の爪部材６２、６３を具備している。上下いずれの爪部材６２、６３も水平方向の回転軸を有し、それらの回転軸は、中壁部５４から操作ロッド８の方向に突設された一対の内壁部６４、６４に軸支されている。
【００３７】
上側の爪部材６２は、回転軸を保持するアーム部６５から、側方に第一係合爪６６、下方に第一舌片６７がそれぞれ延出した形状をなしている。アーム部６５の中間部はくり抜かれて、回転軸の回りにねじりバネ６８が挿装されている。このねじりバネ６８は、その一端が中壁部５４に当接して、上側の爪部材６２を第一係合爪６６の突出方向（図７における時計回り方向）に付勢している。付勢された上側の爪部材６２は、両内壁部６４、６４の間に設けられた上部止め板６９に当接して、それ以上の回動が拘束される。第一係合爪６６は、突出状態にあるとき、上面が先端に向かって斜め下向きに、下面が略水平になるように形成されている。第一舌片６７は、第一係合爪６６の突出状態において下向きになるように形成されている。
【００３８】
下側の爪部材６３は、回転軸を保持するアーム部７０から、側方に第二係合爪７１、下方に第二舌片７２がそれぞれ延出した形状をなしている。アーム部７０の中間部はくり抜かれて、回転軸の回りにねじりバネ７３が挿装されている。このねじりバネは、その一端が中壁部５４に当接して、下側の爪部材６３を第二係合爪７１の突出方向（図７における反時計回り方向）に付勢している。付勢された下側の爪部材６３は、両内壁部６４、６４の間に設けられた下部止め板７４に当接して、それ以上の回動が拘束される。第二係合爪７１は、突出状態にあるとき、上面が略水平に、下面が先端に向かって斜め上向きになるように形成されている。第二舌片７２は、第二係合爪７１の突出状態において上向きになり、第一舌片６７の裏側に重なるように形成されている。
【００３９】
このように構成されたストップカム１１は、柱体３の昇降に際して以下のように作動する。
【００４０】
図７の下段図は、窓状開口１０を通じて外筒２内に突出した操作ロッド８の係合突起９にストップカム１１が係合して、柱体３の昇降が拘束された状態を示す。この状態では、定荷重バネ７の巻き上げ力によって柱体３が上方に引き上げられようとしているが、第二係合爪７１が下方から係合突起９に引っ掛かっるので、柱体３は上昇できない。また、この状態から柱体３を押し下げようとすると、第一係合爪６６が係合突起９に引っ掛かるので、柱体３は下降もできない。柱体３が最下位置まで完全に収納された状態、及び、柱体３が中間位置又は最上位置まで引き出された状態では、いずれも、この下段図の状態で柱体３が拘束されることとなる。
【００４１】
この状態で操作ロッド８を回動させると、係合突起９とストップカム１１との係合が解除される。柱体３が収納位置又は中間位置にある場合は、定荷重バネ７の付勢力によって柱体３が上昇する。そして、図７の上段図のように、上位にある係合突起９に対して、ストップカム１１が下側から当接する。すると、まず第一係合爪６６が係合突起９に当接して内側に没入し、同時に、第一舌片６７が第二舌片７２を押し込むことにより、第二係合爪７１も一旦、内側に没入する。しかし、第一係合爪６６が係合突起９を乗り越えた瞬間に、第一係合爪６６及び第二係合爪７１が突出状態に復帰して、下段図のように係合突起９に係合する。
【００４２】
一方、柱体３が中間位置または最上位置にある状態で操作ロッド８を回動させ、そこから柱体３を押し下げると、図７の中段図のように、下位にある係合突起９に対して、ストップカム１１が上側から当接する。すると、第二係合爪７１が係合突起９に当接して内側に没入する。ただし、このとき第二舌片７２は第一舌片６７を押し込まないので、第一係合爪６６は突出状態のまま、係合突起９に当接して、柱体３の押し下げを制止する。そして、第二係合爪７１も係合突起９を乗り越えると突出状態に復帰し、下段図の状態に戻って、柱体３が拘束される。
【００４３】
このように、本発明によれば、操作ロッド８を一時的に回動させるだけで柱体３の昇降が可能になり、定荷重バネ７の付勢力または人為的な押し下げ力によって柱体３が昇降すると、上位又は下位に設けられた他の係合突起９に再びストップカム１１が係合して自動的に柱体３の昇降が拘束される。操作ロッド８の回動操作は、上部に連結された操作ピン２５の頭部２６に棒状の操作具２８を係合させ、操作ピン２５を押し下げつつ回動させるという簡単な操作で済む。したがって、立ったままでも容易に行うことができ、柱体３の管理作業が容易になる。
【００４４】
なお、例示形態では、柱体３の下部近傍に抜け止めバー７７が取り付けられている。抜け止めバー７７は、柱体３を水平方向に貫通して、両端が柱体３の外周面よりも突出している。この抜け止めバー７７は、柱体３が上昇した時に、ブッシュ２１の筒部２２の内周面に形成されたガイド溝７８（図２、図３参照）を通過して、蓋カバー３２の裏側に当接することにより、柱体３の抜け出しを防止する役目をなす。修理や点検の必要が生じた場合は、蓋カバー３２を取り外すことにより、柱体３を抜き出すことができる。
【００４５】
また、上記ガイド溝７８は、その上部から側方に延出した後に一段低くなる分岐部７９を有している。上昇状態にある柱体３を少し引き上げながら軸回りに回動させ、抜け止めバー７７の両端部を上記分岐部７９に落とし込むと、柱体３が柱体支持装置６から浮き上がった状態で保持される。柱体３を長期間にわたって上昇させたままにしておく場合は、このような方法で定荷重バネ７に作用する重量を軽減しておくことにより、定荷重バネ７の弾性劣化を防ぐことも可能である。
【００４６】
なお、本発明は、上記実施形態に限らず、発明の主旨を逸脱しない範囲で、細部の形状や構造を適宜変形して実施することはもちろん可能である。
【図面の簡単な説明】
【００４７】
【図１】本発明の実施形態に係る出没式柵柱の全体的構成を示す概略図であって、外筒２の略上半部を縦断面として表し、柱体３を正面図として表した図である。
【図２】上記出没式柵柱における外筒２の上部構造を示す分解斜視図である。
【図３】同じく、外筒２の上部構造を示す縦断面図である。
【図４】上記出没式柵柱における柱体３の下部構造を示す分解斜視図である。
【図５】上記出没式柵柱の中間部分の横断面図である。
【図６】上記出没式柵柱における柱体支持装置６の横断面図である。
【図７】上記出没式柵柱におけるストップカム１１の構造と作動状態を示す部分縦断面図である。
【符号の説明】
【００４８】
１    出没式柵柱
２    外筒
３    柱体
４    定荷重バネ
８    操作ロッド
９    係合突起
１０  窓状開口
１１  ストップカム
２５  操作ピン
４１  操作ピン連結パイプ
４５  圧縮コイルバネ（バネ部材）
４６  ねじりコイルバネ（バネ部材）
６６  第一係合爪
７１  第二係合爪
【図１】
0004798704.tif 000002
【図２】
0004798704.tif 000003
【図３】
0004798704.tif 000004
【図４】
0004798704.tif 000005
【図５】
0004798704.tif 000006
【図６】
0004798704.tif 000007
【図７】
0004798704.tif 000008